(57)【要約】【課題】質問に対する回答を欲する質問者が回答者から迅速に回答を得られること。【解決手段】回答募集ステップＳ４において、所定の回答期限を経過した場合及び回答数が所定の数に達した場合のいずれか一方の条件が満たされた場合に、回答の募集が終了するようにされており、回答提示ステップＳ６が実行された場合、回答者に対し、回答情報を送信した時刻及び／又は回答数に応じて所定の報酬が与えられる報酬送付ステップＳ８を有している。【選択図】　　　　図２
2004101894.tif 000002
【特許請求の範囲】
【請求項１】
質問に対する回答を欲する質問者の質問情報を質問情報端末から通信ネットワーク上のサーバに送信する質問送信ステップと、
該質問送信ステップにおいて送信された該質問情報を該サーバがウエブサイト上に公開して該回答を募集する回答募集ステップと、
該回答募集ステップにおいて公開された該質問に対する該回答を提供する回答者の回答情報を回答情報端末から該サーバに送信する回答送信ステップと、
該回答送信ステップで送信された該回答情報を該サーバが該質問情報端末に送信する回答提示ステップとを有する学習支援方法において、
前記回答募集ステップでは、所定の回答期限を経過した場合及び回答数が所定の数に達した場合のいずれか一方の条件が満たされた場合に回答の募集が終了するようにされており、
前記回答提示ステップが実行された場合、該回答者に対し、該回答情報を送信した時刻及び／又は回答数に応じて所定の報酬が与えられる報酬送付ステップを有していることを特徴とする学習支援方法。
【請求項２】
所定の報酬は、回答情報の送信時刻が早いほど多くなることを特徴とする請求項１記載の学習支援方法。
【請求項３】
質問者を前もって登録し、該質問者にＩＤコードを付与する質問者登録ステップと、回答者を前もって登録し、該回答者にＩＤコードを付与する回答者登録ステップとを有することを特徴とする請求項１又は２記載の学習支援方法。
【請求項４】
回答を受領した質問情報端末から回答に対する評価を行う評価情報がサーバに送信される評価ステップを有していることを特徴とする請求項１、２又は３記載の学習支援方法。
【請求項５】
所定の報酬は、評価が良いほど多くなることを特徴とする請求項４記載の学習支援方法。
【請求項６】
質問情報端末及び回答情報端末はコンピュータ、ＦＡＸ、ｉモード端末、モバイル端末のいずれかであることを特徴とする請求項１乃至５のいずれか１項記載の学習支援方法。
【請求項７】
質問に対する回答を欲する質問者の質問情報端末と、該質問者の該質問を公開し、該回答を募集するためのウエブサイトを供給するサーバと、該質問に対する該回答を提供する回答者の回答情報端末とが通信ネットワークで接続されてなる学習支援システムにおいて、
前記サーバは、
前記質問情報端末から送信される前記質問者の質問情報を記憶する質問情報記憶手段と、
前記質問情報記憶手段に記憶された情報を前記ウエブサイト上に公開して前記回答を募集する回答募集手段と、
所定の回答期限を経過した場合及び回答数が所定の数に達した場合のいずれか一方の条件が満たされた場合に回答の募集を終了させる募集停止手段と、
前記回答情報端末から送信される前記回答者の回答情報を記憶する回答情報記憶手段と、
該回答情報記憶手段に記憶された該回答情報を該当する質問情報端末に送信する回答送信手段と
該回答者に対し、該回答情報を送信した時刻及び／又は回答数に応じて所定の報酬が与えられる報酬送付手段とを備えていることを特徴とする学習支援システム。
【請求項８】
質問に対する回答を欲する質問者の質問情報端末と、該質問者の該質問を公開し、該回答を募集するためのウエブサイトを供給するサーバと、該質問に対する該回答を提供する回答者の回答情報端末とが通信ネットワークで接続されてなる学習支援システムを実行するための学習支援プログラムにおいて、
前記サーバは、
前記質問情報端末から送信される前記質問者の質問情報を記憶する質問情報記憶手段と、
前記質問情報記憶手段に記憶された情報を前記ウエブサイト上に公開して前記回答を募集する回答募集手段と、
所定の回答期限を経過した場合及び回答数が所定の数に達した場合のいずれか一方の条件が満たされた場合に回答の募集を終了させる募集停止手段と、
前記回答情報端末から送信される前記回答者の回答情報を記憶する回答情報記憶手段と、
該回答情報記憶手段に記憶された該回答情報を該当する質問情報端末に送信する回答送信手段と、
該回答者に対し、該回答情報を送信した時刻及び／又は回答数に応じて所定の報酬が与えられる報酬送付手段とを備えていることを特徴とする学習支援プログラム。
【請求項９】
質問に対する回答を欲する質問者の質問情報端末と、該質問者の該質問を公開し、該回答を募集するためのウエブサイトを供給するサーバと、該質問に対する該回答を提供する回答者の回答情報端末とが通信ネットワークで接続されてなる学習支援システムを実行するための学習支援プログラムを記録したコンピュータ読み取り可能な記録媒体において、
前記サーバは、
前記質問情報端末から送信される前記質問者の質問情報を記憶する質問情報記憶手段と、
前記質問情報記憶手段に記憶された情報を前記ウエブサイト上に公開して前記回答を募集する回答募集手段と、
所定の回答期限を経過した場合及び回答数が所定の数に達した場合のいずれか一方の条件が満たされた場合に回答の募集を終了させる募集停止手段と、
前記回答情報端末から送信される前記回答者の回答情報を記憶する回答情報記憶手段と、
該回答情報記憶手段に記憶された該回答情報を該当する質問情報端末に送信する回答送信手段と、
該回答者に対し、該回答情報を送信した時刻及び／又は回答数に応じて所定の報酬が与えられる報酬送付手段とを備えていることを特徴とする学習支援プログラムを記録したコンピュータ読み取り可能な記録媒体。
【発明の詳細な説明】
【０００１】
【発明の属する技術分野】
本発明は、質問に対する回答を欲する質問者に対し、インターネット等の通信ネットワークを介して回答の取得を支援するための学習支援方法、そのシステム、そのプログラム及びそのプログラムを記録したコンピュータ読み取り可能な記録媒体に関する。
【０００２】
【従来の技術】
例えば、学生や、社会人の資格取得を志す者等が学習を行う場合、疑問に思ったことや、よく理解できないことについて他人に質問し、これに対する回答（単なる「答」のみならず、「答を導くまでを詳述した解説」も含む概念）を得たいと思うことがある。こうした場合、学校や学習塾や予備校において、教師に質問して回答を得ることも可能である。
【０００３】
しかし、この方法によって質問者が回答を得ようとした場合、質問者は学校等まで出向いて教師と対面する必要があるため、質問に対する回答を迅速に得ることは困難である。また、たとえ回答を得ることが可能な状況になったとしても、そのときには質問者が質問内容を忘れてしまっていることもある。このため、質問者が質問したい思ったときに、迅速に回答を得られるような学習支援方法が望まれている。
【０００４】
一方、パーソナルコンピュータや携帯電話の爆発的な普及にともない、最近ではインターネット等の通信ネットワークを利用して情報の収集を行うことが可能となっている。
【０００５】
こうした状況下、特許文献１に、これらの通信ネットワークを利用し、質問に対する回答を欲する質問者が回答を得るための学習支援方法が提案されている。
【０００６】
【特許文献１】
特開２００２−９１２８０号公報
【０００７】
この公報学習支援方法では、質問者の質問情報が質問者の情報端末から通信ネットワーク上のサーバに送信される。そして、サーバがウエブサイト上に質問情報を公開して回答を募集する。さらに、公開された質問に対する回答を提供する回答者の回答情報が回答者の情報端末からサーバに送信される。最後にサーバから回答情報が質問者の情報端末に送信される。こうして、質問者と回答者の相互間の情報交換をインターネットを介して行うことにより、質問者と回答者の相互間で質問及び回答の授受が可能となる。
【０００８】
この学習支援方法によれば、質問者は回答者と対面することなしに回答を得ることができる。このため、質問をしたいと思ったときには、インターネットを介していつでも質問をすることができることとなり、質問の機会を逃したり、質問内容を忘れてしまったりすることを防止することができる。
【０００９】
また、一つの質問に対して多くの回答を得ることも容易であるため、複数の回答を比較する等して、回答の信頼性を高めることもできる。
【００１０】
さらに、質問者と回答者と出会う教室等の施設を用意する必要もないため、質問者は低廉なコストで回答者から回答を得ることができる。
【００１１】
【発明が解決しようとする課題】
しかし、上記公報記載の学習支援方法では、回答者には、迅速に回答を行おうとするインセンティブが働かないため、質問者が質問情報を送信してから回答者がその質問情報に対する回答情報を送信するまでの時間がかかりがちとなる。このため、質問者は質問情報を送信してからそれに対する回答を得るまでに、長期間を要するおそれがある。
【００１２】
本発明は上記従来の実情に鑑みてなされたものであり、質問に対する回答を欲する質問者が回答者から迅速に回答を得られることを解決すべき課題としている。
【００１３】
【課題を解決するための手段】
本発明の学習支援方法は、質問に対する回答を欲する質問者の質問情報を質問情報端末から通信ネットワーク上のサーバに送信する質問送信ステップと、該質問送信ステップにおいて送信された該質問情報を該サーバがウエブサイト上に公開して該回答を募集する回答募集ステップと、該回答募集ステップにおいて公開された該質問に対する該回答を提供する回答者の回答情報を回答者情報端末から該サーバに送信する回答送信ステップと、該回答送信ステップで送信された該回答情報を該サーバが質問情報端末に送信する回答提示ステップとを有する学習支援方法において、
前記回答募集ステップでは、所定の回答期限を経過した場合及び回答数が所定の数となった場合のいずれか一方の条件が満たされた場合に回答の募集が終了するようにされており、前記回答提示ステップが実行された場合、該回答者に対し、該回答情報を送信した時刻及び／又は回答数に応じて所定の報酬が与えられる報酬送付ステップを有していることを特徴とする。
【００１４】
本発明の学習支援方法では、回答募集ステップにおいて、回答の募集が所定の回答期限を経過した場合及び回答数が所定の数に達した場合のいずれか一方の条件が満たされた場合に終了するようにされている。そして、回答提示ステップが実行された場合、回答者に対し、回答情報を送信した時刻及び／又は回答数に応じて所定の報酬が与えられる報酬送付ステップを有している。このため、回答者が報酬を得るためには、回答期限の前であって、回答数が所定の数に達する前に回答情報を送信しなければならない。このため、回答者には迅速に回答情報を送信しなければならないという強いインセンティブが働くこととなる。その結果、質問者は回答者から迅速に回答を得られることとなる。
【００１５】
所定の報酬としては、たとえば、所定の金額が回答情報を送信した先着順に重みを付けて分配される報酬としたり、回答数で除した均等な金額の報酬としたりすることができる。この中でも、所定の金額が回答情報を送信した先着順に重みを付けて分配される報酬とすることが好ましい。こうであれば、回答情報を早く送信した回答者に対してより多くの報酬が与えられることとなり、他人より早く回答情報を送信しようとする競争原理により、質問者はより迅速に回答を得ることができる。
【００１６】
本発明の学習支援方法では、質問者を前もって登録し、質問者にＩＤコードを付与する質問者登録ステップと、回答者を前もって登録し、回答者にＩＤコードを付与する回答者登録ステップとを有することが好ましい。こうであれば、質問者及び回答者に関する事前審査を行うことが可能となり、目的外の使用等、ウエブサイトの運営上のトラブルを未然に防ぐことができる。また、質問者及び回答者は、いったん登録を行えば、次回からは情報端末からＩＤコードを入力するだけでこの学習支援方法を利用することができることとなる。
【００１７】
本発明の学習支援方法では、回答を得た質問者の質問情報端末から回答に対する評価を行う評価情報がサーバに送信される評価ステップを有していることが好ましい。こうであれば、ウエブサイトの管理者が回答を受け取った質問者の回答に対する満足度を知ったり、評価の悪い回答者には警告を発したりして、回答を一定水準以上とするように管理を行うことができる。この場合において、所定の報酬は、評価が良いほど多くなることが好ましい。こうであれば、回答者は回答の送信を早く行うことだけでなく、その質的向上を高めるようなインセンティブが働くこととなり、さらに回答の質的向上を図り、質問者の回答に対する満足度をさらに高めることができる。
【００１８】
質問情報端末及び回答情報端末はコンピュータ、ＦＡＸ、ｉモード端末、モバイル端末のいずれかとすることができる。これらの情報端末は一般に広く普及しているため、質問者や回答者が利用しやすいい。
【００１９】
本発明の学習支援方法を情報端末、サーバ及び通信ネットワークによって実現する場合、本発明の学習支援システムとなる。この学習支援システムは、質問に対する回答を欲する質問者の質問情報端末と、該質問者の該質問を公開し、該回答を募集するためのウエブサイトを供給するサーバと、該質問に対する該回答を提供する回答者の回答情報端末とが通信ネットワークで接続されてなる学習支援システムにおいて、前記サーバは、前記質問情報端末から送信される前記質問者の質問情報を記憶する質問情報記憶手段と、前記質問情報記憶手段に記憶された情報を前記ウエブサイト上に公開して前記回答を募集する回答募集手段と、所定の回答期限を経過した場合及び回答数が所定の数に達した場合のいずれか一方の条件が満たされた場合に回答の募集を終了させる募集停止手段と、前記回答情報端末から送信される前記回答者の回答情報を記憶する回答情報記憶手段と、該回答情報記憶手段に記憶された該回答情報を該当する質問情報端末に送信する回答送信手段と該回答者に対し、該回答情報を送信した時刻及び／又は回答数に応じて所定の報酬が与えられる報酬送付手段とを備えていることを特徴とする。
【００２０】
また、本発明の学習支援方法を情報端末、サーバ及び通信ネットワークによって実現する場合、本発明の学習支援プログラムとなる。この学習支援プログラムは、質問に対する回答を欲する質問者の質問情報端末と、該質問者の該質問を公開し、該回答を募集するためのウエブサイトを供給するサーバと、該質問に対する該回答を提供する回答者の回答情報端末とが通信ネットワークで接続されてなる学習支援システムを実行するための学習支援プログラムにおいて、前記サーバは、前記質問情報端末から送信される前記質問者の質問情報を記憶する質問情報記憶手段と、前記質問情報記憶手段に記憶された情報を前記ウエブサイト上に公開して前記回答を募集する回答募集手段と、所定の回答期限を経過した場合及び回答数が所定の数に達した場合のいずれか一方の条件が満たされた場合に回答の募集を終了させる募集停止手段と、前記回答情報端末から送信される前記回答者の回答情報を記憶する回答情報記憶手段と、該回答情報記憶手段に記憶された該回答情報を該当する質問情報端末に送信する回答送信手段と、該回答者に対し、該回答情報を送信した時刻及び／又は回答数に応じて所定の報酬が与えられる報酬送付手段とを備えていることを特徴とする。
【００２１】
さらに、本発明の学習支援方法を情報端末、サーバ及び通信ネットワークによって実現する場合、本発明の学習支援プログラムを記録したコンピュータ読み取り可能な記録媒体となる。この学習支援プログラムを記録したコンピュータ読み取り可能な記録媒体は、質問に対する回答を欲する質問者の質問情報端末と、該質問者の該質問を公開し、該回答を募集するためのウエブサイトを供給するサーバと、該質問に対する該回答を提供する回答者の回答情報端末とが通信ネットワークで接続されてなる学習支援システムを実行するための学習支援プログラムを記録したコンピュータ読み取り可能な記録媒体において、前記サーバは、前記質問情報端末から送信される前記質問者の質問情報を記憶する質問情報記憶手段と、前記質問情報記憶手段に記憶された情報を前記ウエブサイト上に公開して前記回答を募集する回答募集手段と、所定の回答期限を経過した場合及び回答数が所定の数に達した場合のいずれか一方の条件が満たされた場合に回答の募集を終了させる募集停止手段と、前記回答情報端末から送信される前記回答者の回答情報を記憶する回答情報記憶手段と、該回答情報記憶手段に記憶された該回答情報を該当する質問情報端末に送信する回答送信手段と、該回答者に対し、該回答情報を送信した時刻及び／又は回答数に応じて所定の報酬が与えられる報酬送付手段とを備えていることを特徴とする。
【００２２】
【発明の実施の形態】
以下、実施形態により、学習支援方法、そのシステム、そのプログラム及びそのプログラムを記録したコンピュータ読み取り可能な記録媒体を具体化する。この実施形態を図１〜１４を参照しつつ説明する。
【００２３】
この学習支援システムは、図１に示すように、学習支援サーバ１と、複数の質問者の質問情報端末２と、複数の回答者の回答情報端末３とがインターネット４に接続されている。質問情報端末２及び回答情報端末３はパーソナルコンピュータ、携帯電話、ファクシミリ等、インターネット１に接続して双方向の情報交換が可能な情報端末であればよい。
【００２４】
学習支援サーバ１には、質問情報記憶部１ａと、回答募集部１ｂと、募集停止部１ｃと、回答情報記憶部１ｄと、回答送信部１ｅと、報酬送付部１ｆと、評価情報記憶部１ｇとが備えられている。質問情報記憶部１ａは質問情報端末２から送信された質問情報を記憶し、回答募集部１ｂは質問情報記憶部１ａに記憶された情報をウエブサイト上に公開して回答の募集を行う。また、募集停止部１ｃは回答期限を経過した場合及び回答数が所定の数に達した場合のいずれか一方の条件が満たされた場合に回答の募集を終了させる。回答情報記憶部１ｄは回答情報端末３からから送信された回答情報を記憶し、回答送信部１ｅは回答情報記憶部１ｄに記憶された回答情報を該当する質問情報端末２に送信する。そして、報酬送付部１ｆは回答者に対し後述する所定の報酬を与え、評価情報記憶部１ｇは質問情報端末２から送信される評価情報を記憶する。
【００２５】
質問に対する回答を得ようと欲する質問者は、この学習支援システムを利用して、以下のように回答を得ることができる。
【００２６】
（質問者登録ステップＳ１）
質問者は図２に示すように、まず質問者登録ステップＳ１において登録手続を行う。すなわち、質問情報端末２により、サーバ１によって供給されているウエブサイトのトップページ画面５（図３参照）にアクセスし、「質問したい方へ」を選択する。これにより、図４に示す質問ページ画面６が表示される。さらにこの質問ページ画面６における「初めての方はこちらへ」を選択することにより、図５に示す質問者登録ページ画面７が表示される。このページで質問者は「住所」、「氏名」、「年令」、「性別」、「生年月日」、「学校名」、「学年」、「入金方法」を入力し、さらに会員登録規約に同意するか否かを入力する。そして「次へ」を選択することのより、図６に示す質問者登録済ページ画面８が表示され、質問者にＩＤコードが付与されたことが送信されて質問者登録ステップＳ１が終了する。なお、質問者が入力した登録に関するデータは、図２に示す質問端末２からサーバ１の質問情報記録部１ａに記録され、学習支援システムの管理者によって管理される。
【００２７】
（回答者登録ステップＳ２）
また、質問に対する回答を提供しようとする回答者は、図２に示す回答者登録ステップＳ２において回答者登録手続を行う。すなわち、回答情報端末３により、サーバ１によって供給されているウエブサイトのトップページ画面５（図３参照）にアクセスし、「回答したい方へ」を選択する。これにより、図７に示す回答者ページ画面９が表示される。さらに「初めての方はこちらへ」を選択することによって、図８に示す回答者登録ページ画面１０が表示される。ここで、回答者は「住所」、「氏名」、「年令」、「性別」、「生年月日」、「職業」、「回答可能分野」、「送金先」を入力し、さらに会員登録規約に同意するか否かを入力した後、「次へ」を選択する。これにより、質問者登録ステップＳ１と同様、サーバ１から回答者へＩＤコードが通知されて回答者登録ステップＳ２が終了する。回答者が入力した登録に関するデータは、図２に示す回答情報端末３からサーバ１の質問情報記録部１ａに記録され、学習支援システムの管理者によって管理される。
【００２８】
（質問送信ステップＳ３）
質問者登録ステップＳ１で登録を終えた質問者は、次のようにして質問を送信することができる。すなわち、図２に示す質問情報端末２からサーバ１によって供給されているウエブサイトのトップページ画面５（図３参照）にアクセスし、「質問したい方へ」を選択する。これにより、図４に示す質問ページ画面６が表示される。ここで、「ＩＤコード」と「科目ジャンル」と「回答入手方法」とを入力する。また、「質問内容」と「回答の範囲」からなる質問情報を入力する。「回答の範囲」とは回答としてどの程度の詳細な範囲の回答を望むのかを記載する欄であり、例えば、「答えのみ」とか「解説付き」とか「類似問題解答付き」等の希望を入力する。これにより、質問者の要求に細かく応えることが可能となる。また、回答入手方法として、ＦＡＸ又は電子メールのいずれによる回答の送付を希望するかを入力する。なお、オプションとして、「回答期限」と「回答要求数」とを入力することもできる。回答期限と回答要求数に何も入力しない場合には、予め定められた回答期限と回答要求数が適用されることになる。こうして質問送信ステップＳ３が終了する。
【００２９】
（回答募集ステップＳ４）
質問送信ステップＳ３で質問情報端末２から入力された情報は、図２に示すように、回答募集ステップＳ４においてサーバ１へ送信され、インターネット上のウエブサイトで公開される。登録された回答者が質問の内容を一覧したい場合には、図３に示すウエブサイトのトップページ画面５にアクセスし、「回答したい方へ」を選択する。これにより、図７に示す回答者ページ画面９が表示される。ここで、「ＩＤコード」と「暗証番号」とを入力し、「次へ」を選択することにより、図９に示すインデックスページ画面１１が示される。なお、登録していない回答者はインデックスページ画面１１にアクセスできないため、他の教育業者による広告等の目的外の使用を未然に防ぐことができる。インデックスページ画面１１では各科目ごと及び対象者ごとの回答募集件数に関する情報を得ることができる。さらに、「一覧」を選択することにより、図１０に示すように一覧ページ画面１２が表示され、質問番号ごとの現在の回答数と回答期限までの残り時間とが示される。なお、各問題の回答数が所定の限定数に達した場合、又は残り時間がなくなった場合には自動的にその質問番号の問題に関する情報は削除されるようになっている。また、後述するように、回答者は回答を送信したことに対する報酬を受け取ることができる。このため、回答者は報酬を受けるべく、回答期限に間に合い、かつ回答数が所定の数になる前に回答を送信しようとする強いインセンティブが働くこととなる。その結果、回答の送信が迅速になされることとなる。そして、さらに回答者が「詳細」を選択することにより、図１１に示す詳細ページ画面１３が表示され、具体的な質問内容をスクロールして見ることができる。
【００３０】
（回答送信ステップＳ５）
回答者登録ステップＳ２で登録を終えた回答者が回答を送信する場合は、回答しようとする問題において「回答意思　ある」を選択する。これにより、図１２に示す回答欄ページ画面１４が表示される。ここで、「回答」を入力し、「送信」を選択する。こうして図２に示す回答情報端末３から入力された回答情報はサーバ１に送信されて回答送信ステップＳ５が終了する。
【００３１】
（回答提示ステップＳ６）
回答送信ステップＳ３で送信された回答情報は、サーバ１から質問者情報端末２に対して図１３に示す回答送信ページ画面１５が送信される。この送信は、電子メール又はＦＡＸのうち、質問者が質問送信ステップＳ３において選択した方法によって行われる。
【００３２】
（評価ステップＳ７）
こうして回答を受け取った質問者は、図２に示す評価ステップＳ７において、図１３に示す回答送信ページ画面１５における評価欄に評価を入力し、電子メール又はＦＡＸでサーバ１に送り返す。
【００３３】
（報酬送付ステップＳ８）
こうして、評価ステップＳ７において回答に対する評価が送信された後、サーバ１によりその問題に対する回答ポイント、速答ポイント、評価ポイントが与えられ、その結果が図１４に示す評価ページ画面１６の形式で回答情報端末３に送信される。ここで、回答ポイント１６ａは一定のポイントをその問題に対する回答数で除したポイントである。また、速答ポイント１６ｂは回答の送信時刻を考慮したポイントであり、早く回答を送信した者ほど多くのポイントが与えられるように重み付けがされている。さらに、評価ポイント１６ｃは回答の評価の良かったものほど多くのポイントが与えられるようにされている。そしてこれらのポイントの総和に応じた金額が回答者に与えられることとなる。このため、回答者が多くの報酬を得るためには、よい評価の得られる回答を他人よりも早く送信することが必要とされる。こうして、この学習支援方法では、質問者は良質の回答を迅速に得ることが可能となる。
【００３４】
【図面の簡単な説明】
【図１】学習支援システムのブロック図である。
【図２】学習支援方法のフローチャートである。
【図３】実施形態の学習支援方法に係り、ウエブサイトのトップページ画面である。
【図４】実施形態の学習支援方法に係り、質問ページ画面である。
【図５】実施形態の学習支援方法に係り、質問者登録ページ画面である。
【図６】実施形態の学習支援方法に係り、質問者登録済ページ画面である。
【図７】実施形態の学習支援方法に係り、回答者ページ画面である。
【図８】実施形態の学習支援方法に係り、回答者登録ページ画面である。
【図９】実施形態の学習支援方法に係り、インデックスページ画面である。
【図１０】実施形態の学習支援方法に係り、一覧ページ画面である。
【図１１】実施形態の学習支援方法に係り、詳細ページ画面である。
【図１２】実施形態の学習支援方法に係り、回答欄ページ画面である。
【図１３】実施形態の学習支援方法に係り、回答送信ページ画面である。
【図１４】実施形態の学習支援方法に係り、評価ページ画面である。
【符号の説明】
２…質問情報端末
４…インターネット（通信ネットワーク）
１…サーバ
３…回答情報端末
Ｓ１…質問者登録ステップ
Ｓ２…回答者登録ステップ
Ｓ３…質問送信ステップ
Ｓ４…　回答募集ステップ
Ｓ５…回答送信ステップ
Ｓ６…回答提示ステップ
Ｓ７…報酬送付ステップ
Ｓ８…評価ステップ
１ａ…質問情報記憶部（質問情報記憶手段）
１ｂ…回答募集部（回答募集手段）
１ｃ…募集停止部（募集停止手段）
１ｄ…回答情報記憶部（回答情報記憶手段）
１ｅ…回答送信部（回答送信手段）
１ｆ…報酬送付部（報酬送付手段）
【図１】
2004101894.tif 000003
【図２】
2004101894.tif 000004
【図３】
2004101894.tif 000005
【図４】
2004101894.tif 000006
【図５】
2004101894.tif 000007
【図６】
2004101894.tif 000008
【図７】
2004101894.tif 000009
【図８】
2004101894.tif 000010
【図９】
2004101894.tif 000011
【図１０】
2004101894.tif 000012
【図１１】
2004101894.tif 000013
【図１２】
2004101894.tif 000014
【図１３】
2004101894.tif 000015
【図１４】
2004101894.tif 000016